(57)【要約】【課題】本発明は、裸眼立体視を可能にするための液晶パネル２６の基板の破損を防止することを目的とする。【解決手段】表示装置は、表示パネル１０と、表示パネル１０に表示された左眼画像と右眼画像を分離して裸眼立体視を可能にするために表示パネル１０に重ねて配置される液晶パネル２６と、液晶パネル２６に取り付けられたフレキシブル配線基板３８と、を有し、液晶パネル２６は、相互に対向する基板３０及び基板３２を有し、基板３０は、基板３２から突出する突出部３６を有し、基板３０の突出部３６の基板３２側の面にフレキシブル配線基板３８が取り付けられ、基板３２は、基板３０よりも薄く形成され、表示パネル１０の側に配置される。【選択図】図４
2013174691.tif 000002
【特許請求の範囲】
【請求項１】
表示パネルと、
前記表示パネルに表示された左眼画像と右眼画像を分離して裸眼立体視を可能にするために前記表示パネルに重ねて配置される液晶パネルと、
前記液晶パネルに取り付けられたフレキシブル配線基板と、
を有し、
前記液晶パネルは、相互に対向する第１基板及び第２基板を有し、
前記第１基板は、第２基板から突出する突出部を有し、
前記第１基板の前記突出部の前記第２基板側の面に前記フレキシブル配線基板が取り付けられ、
前記第２基板は、前記第１基板よりも薄く形成され、前記表示パネルの側に配置されることを特徴とする表示装置。
【請求項２】
請求項１に記載された表示装置において、
前記表示パネルは、相互に対向する第３基板及び第４基板を有し、
前記第３基板は、第４基板から突出する突出部を有し、
前記第３基板の前記突出部の前記第４基板側の面に他のフレキシブル配線基板が取り付けられ、
前記第３基板は、前記液晶パネルとは反対側に配置されることを特徴とする表示装置。
【請求項３】
請求項２に記載された表示装置において、
前記表示パネルと前記液晶パネルは、前記第１基板の前記突出部と前記第３基板の前記突出部が同じ方向に突出するように配置されていることを特徴とする表示装置。
【請求項４】
請求項２に記載された表示装置において、
前記表示パネルと前記液晶パネルは、前記第１基板の前記突出部と前記第３基板の前記突出部が相互に反対方向に突出するように配置されていることを特徴とする表示装置。
【請求項５】
請求項４に記載された表示装置において、
前記表示パネル及び前記液晶パネルを収容する筺体と、
前記第３基板の前記突出部の前記第４基板側の前記面と前記筺体との間に配置されたスペーサと、
をさらに有することを特徴とする表示装置。
【発明の詳細な説明】
【技術分野】
【０００１】
本発明は、表示装置に関する。
【背景技術】
【０００２】
近年、画像の立体表示の要求に応える製品が開発されており、携帯電話や携帯用情報端末等の中小型用機器としては、裸眼視するために視差バリア用液晶パネルを備えた液晶表示装置が知られている（特許文献１）。視差バリア用液晶パネルは、液晶表示パネルに重ねて配置される。
【先行技術文献】
【特許文献】
【０００３】
【特許文献１】特開２００４−２９４８６２号公報
【発明の概要】
【発明が解決しようとする課題】
【０００４】
視差バリア用液晶パネルには、電気的接続のためにフレキシブル配線基板を取り付けるので、液晶を挟む基板の一方を突出させている。視差バリア用液晶パネルにも薄型化が要求されているので、基板が薄くなってきており、フレキシブル配線基板が取り付けられる基板がその薄さから破損しやすいという問題が生じた。
【０００５】
本発明は、裸眼立体視を可能にするための液晶パネルの基板の破損を防止することを目的とする。
【課題を解決するための手段】
【０００６】
（１）本発明に係る表示装置は、表示パネルと、前記表示パネルに表示された左眼画像と右眼画像を分離して裸眼立体視を可能にするために前記表示パネルに重ねて配置される液晶パネルと、前記液晶パネルに取り付けられたフレキシブル配線基板と、を有し、前記液晶パネルは、相互に対向する第１基板及び第２基板を有し、前記第１基板は、第２基板から突出する突出部を有し、前記第１基板の前記突出部の前記第２基板側の面に前記フレキシブル配線基板が取り付けられ、前記第２基板は、前記第１基板よりも薄く形成され、前記表示パネルの側に配置されることを特徴とする。本発明によれば、液晶パネルの薄い方の第２基板が表示パネルの側に配置されるので、表示パネルの画像形成領域から、左眼画像と右眼画像を分離するための領域との距離を近づけることができる。そして、突出部を有してフレキシブル配線基板が取り付けられる第１基板は、第２基板よりも厚いので破損しにくくなっている。
【０００７】
（２）（１）に記載された表示装置において、前記表示パネルは、相互に対向する第３基板及び第４基板を有し、前記第３基板は、第４基板から突出する突出部を有し、前記第３基板の前記突出部の前記第４基板側の面に他のフレキシブル配線基板が取り付けられ、前記第３基板は、前記液晶パネルとは反対側に配置されることを特徴としてもよい。
【０００８】
（３）（２）に記載された表示装置において、前記表示パネルと前記液晶パネルは、前記第１基板の前記突出部と前記第３基板の前記突出部が同じ方向に突出するように配置されていることを特徴としてもよい。
【０００９】
（４）（２）に記載された表示装置において、前記表示パネルと前記液晶パネルは、前記第１基板の前記突出部と前記第３基板の前記突出部が相互に反対方向に突出するように配置されていることを特徴としてもよい。
【００１０】
（５）（４）に記載された表示装置において、前記表示パネル及び前記液晶パネルを収容する筺体と、前記第３基板の前記突出部の前記第４基板側の前記面と前記筺体との間に配置されたスペーサと、をさらに有することを特徴としてもよい。
【図面の簡単な説明】
【００１１】
【図１】本発明の第１の実施形態に係る表示装置を示す平面図である。
【図２】図１に示す表示装置のII−II線断面図である。
【図３】本発明の第２の実施形態に係る表示装置を示す断面図である。
【図４】本発明の第３の実施形態に係る表示装置を示す断面図である。
【発明を実施するための形態】
【００１２】
以下、本発明の実施形態について、図面を参照して説明する。
【００１３】
［第１の実施形態］
図１は、本発明の実施形態に係る表示装置を示す平面図である。図２は、図１に示す表示装置のII−II線断面図である。
【００１４】
表示装置は、表示パネル１０を有する。表示パネル１０は、相互に対向する基板１２及び基板１４を有する。基板１２及び基板１４は、ガラスなどの透明な材料からなる。本実施形態では、表示パネル１０は、液晶表示パネルであって、基板１２及び基板１４の者間には図示しない液晶が介在する。液晶の駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。あるいは、表示パネル１０は、有機ＥＬ（Electro Luminescence）パネルであってもよい。
【００１５】
基板１２は、ＴＦＴ（Thin Film Transistor）基板である。基板１２の基板１４を向く面には、図示しない薄膜トランジスタ、配線及び電極が形成されている。基板１４は、カラーフィルタ基板であり、図示しないカラーフィルタが形成されている。
【００１６】
基板１２は、基板１４から突出する突出部１６を有する。基板１２の図示しない配線は、突出部１６に至るようになっている。基板１２の突出部１６の基板１４側の面にフレキシブル配線基板１８が取り付けられている。基板１２の突出部１６には、液晶を駆動するためのドライバ回路を内蔵する集積回路チップ２０が搭載されている。基板１２及び基板１４には、それぞれ、偏光板２２，２４が貼り付けられている。
【００１７】
本実施形態に係る表示装置は、立体画像表示を可能にするものである。詳しくは、人の左右の目に異なる二次元画像を認識させ、その二つの二次元画像を基に、脳が三次元空間を構築する。そのため、表示パネル１０には、左眼画像と右眼画像が表示される。
【００１８】
表示装置は、表示パネル１０に重ねて配置される液晶パネル２６を有する。表示パネル１０と液晶パネル２６は粘着層２８（又は接着層）によって固定されている。液晶パネル２６は、表示パネル１０の基板１４側に重ねられる。したがって、表示パネル１０の基板１２は、液晶パネル２６とは反対側に配置される。
【００１９】
液晶パネル２６は、視差バリア方式（パララックスバリア方式）によって、表示パネル１０に表示された左眼画像と右眼画像を分離して裸眼立体視を可能にするため視差バリア液晶パネルである。視差バリア方式（パララックスバリア方式）とは、画像の表示面に縦縞状のフィルタ（視差バリア）を重ねることで、左目には左目用の映像だけが、右目には右目用の映像だけが映るようにする方式である。
【００２０】
あるいは、液晶パネル２６は、レンチキュラー方式によって、表示パネル１０に表示された左眼画像と右眼画像を分離して裸眼立体視を可能にするためのレンチキュラーレンズ用液晶パネルであってもよい。レンチキュラーレンズ用液晶パネルは、液晶によってレンチキュラーレンズを形成するパネルであり、例えば、ＷＯ２００７／０７２２８９号公報に開示されている。なお、液晶によってマイクロレンズを形成することは、特開平１０−２３９６７６号公報及び特開２００９−４８０７８号公報に開示されている。
【００２１】
液晶パネル２６は、相互に対向する基板３０及び基板３２を有する。基板３０及び基板３２は、ガラスなどの透明な材料からなる。基板３０及び基板３２の間に図示しない液晶が挟まれている。基板３０の基板３２を向く面には、図示しない配線及び電極が形成されている。表示パネル１０とは反対側に位置する基板３０には偏光板３４が貼り付けられている。基板３２の下側（基板１４の上側）に偏光板２４が配置されていることは上述した通りである。
【００２２】
基板３２は、基板３０よりも薄く形成され、表示パネル１０の側に配置されている。基板３０は、基板３２から突出する突出部３６を有する。基板３０の図示しない配線は、突出部３６に至るようになっている。基板３０の突出部３６の基板３２側の面にフレキシブル配線基板３８が取り付けられている。
【００２３】
表示パネル１０と液晶パネル２６は、基板３０の突出部３６と基板１２の突出部１６が同じ方向に突出するように配置されている。図２に示すように、基板１２，１４，３０，３２のうち、基板１２の突出部１６の先端が最も前方に突出する。基板３０の突出部３６の先端部は、基板１４よりも前方に突出して基板１２の突出部１６と重なる。基板１４の先端部は、基板３０の突出部３６と重なる。基板１２の突出部１６と基板３２は対向しないようになっている。
【００２４】
本実施形態によれば、液晶パネル２６の薄い方の基板３２が表示パネル１０の側に配置されるので、表示パネル１０の画像形成領域（図示しない液晶層）から、左眼画像と右眼画像を分離するための領域（図示しない液晶層）との距離を近づけることができる。そして、突出部３６を有してフレキシブル配線基板３８が取り付けられる基板３０は、基板３２よりも厚いので破損しにくくなっている。
【００２５】
表示パネル１０に重なるように導光板４０が配置されている。導光板４０は、図示しない点光源から入射した光を面光源に変換するようになっている。導光板４０の表示パネル１０とは反対側には反射フィルム４２が配置され、導光板４０から下方（表示パネル１０とは反対側）に出射する光を反射して導光板４０に戻すようになっている。導光板４０及び反射フィルム４２に、図示しない光源及び光学フィルムなどを加えてバックライトが構成される。表示パネル１０は、樹脂のモールド成形で形成されたフレーム４４に支持されている。表示パネル１０とフレーム４４は両面テープ４５で固定されている。両面テープ４５は遮光性を有しており、バックライトからの光を遮断するようになっている。
【００２６】
［第２の実施形態］
図３は、本発明の第２の実施形態に係る表示装置を示す断面図である。
【００２７】
本実施形態では、表示パネル１０と液晶パネル２６は、基板３０の突出部３６と基板１２の突出部１６が相互に反対方向に突出するように配置されている。本実施形態によれば、基板１２の突出部１６の上方に障害物がなくなり、基板３０の突出部３６の下方に障害物がなくなる。その他の構造は、第１の実施形態で説明した内容が該当する。
【００２８】
［第３の実施形態］
図４は、本発明の第３の実施形態に係る表示装置を示す断面図である。
【００２９】
本実施形態では、表示パネル１０と液晶パネル２６は、基板３０の突出部３６と基板１２の突出部１６が相互に反対方向に突出するように配置されている。
【００３０】
また、表示装置は、表示パネル１０及び液晶パネル２６を収容する筐体４６を有する。筐体４６は、表示パネル１０及び液晶パネル２６の周囲に配置される部分を有する。筐体４６は、フレーム４４の外側（下側）に配置される下フレーム４８を含む。液晶パネル２６と対向するようにカバー基板５０が配置されており、カバー基板５０は筐体４６に両面テープ５２で保持されている。なお、カバー基板５０は、ガラスなどの光透過性（例えば透明）の材料からなり、印刷によって形成された遮光層５４が枠状に設けられている。遮光層５４は、内側（液晶パネル２６側）を向く。
【００３１】
筐体４６の一部は、液晶パネル２６の側方であって、基板１２の突出部１６から間隔をあけてその上方に位置する。基板１２の突出部１６の上面（基板１４側の面）と筐体４６との間にはスペーサ５６が配置されている。スペーサ５６によって、基板１２の突出部１６を保持して、割れを防止することができる。
【００３２】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００３３】
１０  表示パネル、１２  基板、１４  基板、１６  突出部、１８  フレキシブル配線基板、２０  集積回路チップ、２２  偏光板、２４  偏光板、２６  液晶パネル、２８  粘着層、３０  基板、３２  基板、３４  偏光板、３６  突出部、３８  フレキシブル配線基板、４０  導光板、４２  反射フィルム、４４  フレーム、４５  両面テープ、４６  筐体、４８  下フレーム、５０  カバー基板、５２  両面テープ、５４  遮光層、５６  スペーサ。
【図１】
2013174691.tif 000003
【図２】
2013174691.tif 000004
【図３】
2013174691.tif 000005
【図４】
2013174691.tif 000006